(57)【特許請求の範囲】
【請求項１】
清掃シート４を装着させる板状をなす清掃具本体２と、該本体上に基端部3aを着脱可能に嵌合させて上方へ延設した柄３とを備えてなる清掃具であって、取り外した柄３を、清掃具本体２表面へ、寝かせた状態で着脱自在に嵌着できる如く構成したことを特徴とする清掃具。
【請求項２】
上記取り外した柄３の清掃具本体２への着脱自在な嵌着が、清掃具本体２上に突設した嵌合突起14に、清掃具本体２上に載置した柄３の下面に開口した嵌合筒部15を嵌着させてなる請求項１記載の清掃具。
【請求項３】
上記取り外した柄３の清掃具本体２への着脱自在な嵌着が、清掃具本体２上に突設した一対の挟持用突部16間に、寝かせた状態の柄３の両側を挟持させてなる請求項１記載の清掃具。
【発明の詳細な説明】
【０００１】
【発明の属する技術分野】
本発明は清掃具に関する。
【０００２】
【従来の技術】
清掃具として、例えば、実開平６−６２９６０号に記載されたものがある。
【０００３】
この清掃具は、上面中央より棒状の柄を延設した板状の本体底面より、上面前後縁部に巻き付けられた清掃用シートの両端部を、本体上に設けた固定手段により固定して、着脱可能に装着している。また、これらの清掃具は本体上面より延設した柄の存在で、手の届き難い場所の清掃やできるだけ腰をかがめないでの清掃等ができる如く構成している。
【０００４】
しかしながら、使用後の収納の際には本体と柄が一体となっているため、場所を取り、収納しずらい欠点があり、また、手は届くが狭い場所等の清掃の場合には柄が邪魔をして清掃し難い場合がある。
【０００５】
【発明が解決しようとする課題】
本発明は、上記した点に鑑みなされたもので、使用時には手の届かない場所への清掃も簡単に行うことができ、使用後にはコンパクトな状態で保管させておくことができ、取り外した柄を紛失する等の不都合もなく、しかも構造も簡単で製造が容易な清掃具を提案するものである。
【０００６】
【課題を解決するための手段】
第１の手段として、以下の通り構成した。即ち、清掃シート４を装着させる板状をなす清掃具本体２と、該本体上に基端部3aを着脱可能に嵌合させて上方へ延設した柄３とを備えてなる清掃具であって、取り外した柄３を、清掃具本体２表面へ、寝かせた状態で着脱自在に嵌着できる如く構成した。
【０００７】
第２の手段として、以下の通り構成した。即ち、前記第１の手段に於いて、上記取り外した柄３の清掃具本体２への着脱自在な嵌着が、清掃具本体２上に突設した嵌合突起14に、清掃具本体２上に載置した柄３の下面に開口した嵌合筒部15を嵌着させてなる。
【０００８】
第３の手段として、以下の通り構成した。即ち、前記第１の手段に於いて、上記取り外した柄３の清掃具本体２への着脱自在な嵌着が、清掃具本体２上に突設した一対の挟持用突部16間に、寝かせた状態の柄３の両側を挟持させてなる。
【０００９】
【発明の実施の形態】
以下、本発明の実施の形態を図面を参照して説明する。
【００１０】
図面に示す如く、本発明の清掃具１は、清掃具本体２と、柄３とを備えている。
【００１１】
清掃具本体２は合成樹脂等により形成されもので、清掃シート４を装着させる板状をなしている。清掃具本体２の形状は、図示例の如く平面視長方形のものに限らず、種々の形状を選択することができる。
【００１２】
本発明の清掃具１に使用される清掃シート４は、不織布、紙、合成樹脂等で形成された従来のこの種の清掃具に使用されているものが使用でき、清掃具本体２の底面に巻き付けて、その両端縁部を本体上面前後に於いて固定する。図示例では、清掃具本体２の上面四隅にスリット５を形成して清掃シート固定部を形成しており、各固定部に清掃シート４の四隅を挿入挟持させる如く構成している。尚、この清掃シート４の固定手段はこれに限らず、従来のこの種の清掃具におけるシート固定手段を採用することができる。
【００１３】
柄３は合成樹脂等により形成されたもので、清掃具本体２上に基端部3aを着脱可能に嵌合させて上方へ延設している。また、柄３は基端部3aより垂直状に起立したものであってもよいが、図示例の如く基端部3a上方より屈折して側方へ延びる形態のものを採用するとより扱い易い。
【００１４】
柄基端部3aの清掃具本体２上への着脱自在な嵌合手段は種々採用することができ、例えば、図１に示す如く、清掃具本体２上に設けた嵌合凹部６内に基端部3aを回動可能且つ所定回動位置での抜け出しを可能に嵌合させて着脱自在に装着したもの、或いは、図５に示す如く、嵌合凹部６内に基端部3aを嵌着するとともに、基端部3a外面と嵌合凹部６内面とを凹凸係合手段Ａを介して係合させ、且つ、着脱が自在に装着したものなどが挙げられるが、当然これらに限られず着脱が可能な構成であれば採用できる。
【００１５】
柄基端部3aの清掃具本体２上への着脱自在な嵌合手段の一例として、図１の実施例では、嵌合凹部６内面に突設し且つ所定位置に挿入用の切欠７を穿設した内周面が円形をなす係止突条８下面に、柄３の外面下部所定位置に突設した係合突起９を、上記切欠７より挿入して回動可能に嵌合させている。装着された係合突起９は、図２に示す如く、係止突条８下面と嵌合凹部６の底面6aとの間に挟持される如く嵌合して、柄３を回動することにより、両者間を摺動して任意位置に係止される如く構成している。また、清掃具本体２の長手後方と直行する方向に柄３が傾倒する場合と、長手方向に沿った方向に柄が傾倒する場合を考慮して、それ以外の位置で係合突起９が外れる如く切欠７及び係合突起９の位置を決定している。
【００１６】
また、柄基端部3aの清掃具本体２上への着脱自在な嵌合手段の他の一例として、図４の実施例では、前縁が円弧状に湾曲突出した四角形状部分から両側に翼状の突部をそれぞれ突設した平面視奴凧状の嵌合凹部６を凹設し、該嵌合凹部６内に、両側に腕10を突設した筒状の基端部3aを嵌着させている。
【００１７】
また、基端部3aの筒壁を内外方向揺動可能に画成した揺動板部11を設けるとともに、該揺動板部11外面と対向する嵌合凹部６内面とを凹凸係合手段Ａを介して係合させ、且つ、揺動板部11の押込みによりその外面の凹凸係合手段Ａの係合が外れる如く構成している。更に、具体的には、揺動板部11外面下部と各腕10の後面にそれぞれ係合凸部12を設けるとともに、基端部3a嵌着時に対応する嵌合凹部６内面にそれぞれ係合凹部13を設けている。
【００１８】
本発明の清掃具１は、非使用時におけるコンパクトな保管，或いは、柄３の取り外しによる一方の紛失等の防止を目的として、取り外した柄３を、清掃具本体２表面へ、寝かせた状態で着脱自在に嵌着できる如く構成している。
【００１９】
取り外した柄３の寝かした状態での嵌着手段は、上記した要件を満たせば種々の手段を採用できるが、例えば、清掃具本体２上に突設した嵌合突起14に、清掃具本体２上に載置した柄３の下面に開口した嵌合筒部15を嵌着させてなるものが挙げられる。
【００２０】
この場合、係合突起９の突設位置としては、柄３や清掃シート４の固定の邪魔にならない部分に突設すると良く、その数も必要に応じて適宜選択すると良く、図示例の如き二箇所に限らず、一箇所であっても、三箇所以上であっても良い。一方、柄３の嵌合筒部15は、嵌合突起14の位置に対応させた所定位置に、対応数設けたもので、嵌合突起14の突設位置と関連させて、柄３を嵌着した清掃具本体２ができるだけコンパクトな状態となる如き位置に設けると良い。
【００２１】
図１の実施例はその一例を示すもので、上記嵌合凹部６を挟んで左右の清掃具本体２上面に一対の円筒状をなす嵌合突起14を突設し、一方、柄３の装着時下方を向く面を開放するとともに、柄３の頂板部分内面所定位置より一対の円筒状をなす嵌合筒部15を一体に垂設している。そして、図３に示す如く、取り外した柄３を清掃具本体２上に、その嵌合筒部15を嵌合突起14に嵌合させて固定する如く構成している。この場合、柄３の両端部分ができるだけ清掃具本体２両側より突設しないように各嵌合突起14及び嵌合筒部15の位置をそれぞれ設定している。
【００２２】
取り外した柄の寝かした状態での嵌着手段の別の例として、清掃具本体２上に突設した少なくとも一対の挟持用突部16間に、寝かせた状態の柄３の両側を挟持させてなるものが採用できる。この場合の挟持用突部16も同様に柄３や清掃シート４の固定の邪魔にならない部分に突設すると良く、柄３を嵌着した清掃具本体２ができるだけコンパクトな状態となる如き位置に突設すると良い。また、その数も必要に応じて適宜選択すると良く、図示例の如き二対に限らず、一対であっても、三対以上であっても良い。
【００２３】
図４の実施例はその一例を示すもので、清掃具本体２上面の上記嵌合凹部６を挟んだ左右に、それぞれ前後一対の板状をなす挟持用突部16を突設し、各挟持用突部16間に寝かせた状態の柄３の両側を挟持させるごとく構成している。本実施例では清掃具本体２の上面前後に、長手方向に沿って一対の把持用突部17を突設しており、各把持用突部17の内側所定位置より各一対の挟持用突部16を突設している。そして、図６に示す如く、取り外した柄３を清掃具本体２上に、その両側を挟持用突部16により挟持させて載置する如く構成している。
【００２４】
上記の如き清掃具１を使用する場合には、例えば、図１の実施例の場合には、上方より各係合突起９を各切欠７の位置にあわせて柄３の基端部3aを嵌合凹部６内に挿入し、各係合突起９を切欠７を介してその下方へ押し込み、次いで回動させることにより装着することができ、また、図４に示す実施例の場合には、上方より柄３の基端部3aを嵌合凹部６内に挿入嵌合させ、係合凸部12を係合凹部13に係合させて装着する。次いで所定の手段で清掃具本体２に清掃シート４を装着後使用する。場所によっては柄３を装着する前に清掃シート４を装着して、柄３を外した状態で把持用突部17を掴んで使用することもできる。
【００２５】
使用後柄３を外す場合には、図１に示す実施例では、所定角度回動させて引き上げれば容易に取り外すことができ、また、図４の実施例では、指等により揺動板部11を押込みつつ柄３を清掃具本体２に対して上方へ引き上げれば容易に取り外すことかできる。
【００２６】
取り外した柄３は、図１の実施例の場合には、図３に示す如く、図４に示す実施例では、図６に示す如く、清掃具本体２上に嵌着固定してコンパクトな状態で保管することができる如く構成している。
【００２７】
【発明の効果】
以上説明した如く、本発明の清掃具は、既述構成としたことにより、使用後には柄３を取り外してコンパクトな状態で収納，保管することができるものである。しかも、柄３と清掃具本体２とが一体に保管できるため、一方の紛失等の不都合を生じない。更に、柄３を外せば柄３を付けたままでは清掃し難い細部の清掃を行える利点も兼ね備えている。また、構造も簡単で製造が容易に行える利点も兼ね備える。
【００２８】
また、清掃具本体２上に突設した嵌合突起14に、清掃具本体２上に載置した柄３の下面に開口した嵌合筒部15を嵌着させて，取り外した柄３を清掃具本体２へ着脱自在に嵌着してなるものにあっては、嵌合突起14を突設する位置が比較的自由に選択できる利点を兼ね備えている。
【００２９】
また、清掃具本体２上に突設した一対の挟持用突部16間に、寝かせた状態の柄３の両側を挟持させて、取り外した柄３を清掃具本体２へ着脱自在に嵌着しているものにあっては、取り外した柄３の寝かした状態での嵌着位置が適当位置で行えるため容易であり、多少のズレがあっても容易に嵌着することができるとともに、その補正も容易に行える利点を兼ね備えている。
【図面の簡単な説明】
【図１】本発明の一実施例を示す分解斜視図である。
【図２】同実施例の柄の装着係止形態を説明する説明図である。
【図３】同実施例の外した柄を清掃具本体上に嵌着した状態の側面図である。
【図４】本発明の他の実施例を示す分解斜視図である。
【図５】同実施例の柄の装着係止形態を説明する説明図である。
【図６】同実施例の外した柄を清掃具本体上に嵌着した状態の斜視図である。
【符号の説明】
２…清掃具本体，３…柄，3a…基端部，４…清掃シート，14…嵌合突起，
15…嵌合筒部，16…挟持用突部
【図１】
0004039511.tif 000002
【図２】
0004039511.tif 000003
【図３】
0004039511.tif 000004
【図４】
0004039511.tif 000005
【図５】
0004039511.tif 000006
【図６】
0004039511.tif 000007